(57)【要約】【課題】従来のクレードル装置では、特定された撮像装置の専用品となっており、装着される電子機器の大きさや形状に合わせて外形と略同等の凹部を設け、その凹部に撮像装置等の電子機器を装着する構成となっていたため、メーカーにとっては保守や管理等が面倒なものとなっており、また、ユーザーにおいては誤って使用したり、まったく使用できない状態等が生じるという課題がある。【解決手段】第１のＤＶカメラ３１と第２のＤＶカメラ６１とが選択的に載置されるクレードル本体２と、クレードル本体２の載置面に設けられ、且つ、第１のＤＶカメラ３１及び第２のＤＶカメラ６１の各接続端子５２，７５が選択的に接続されるコネクタ３と、を備え、クレードル本体２には、第１のＤＶカメラ３１及び第２のＤＶカメラ６１の各装置本体３２，６２のうち共通化された共通外形部Ｃに対応した形状を有する位置決め部５と、各装置本体３２，６２の共通化された共通外形部Ｃ以外との干渉を避けるために切り欠いた非干渉部６とを設けた。【選択図】図１
2007174585.tif 000002
【特許請求の範囲】
【請求項１】
第１の撮像装置と第２の撮像装置とが選択的に載置されるクレードル本体と、
前記クレードル本体の載置面に設けられ、且つ、前記第１の撮像装置及び前記第２の撮像装置の各接続端子が選択的に接続されるコネクタと、を備え、
前記クレードル本体には、前記第１の撮像装置及び前記第２の撮像装置の各装置本体のうち共通化された外形部分に対応した形状を有する位置決め部と、前記各装置本体の前記共通化された外形部分以外との干渉を避けるために切り欠いた非干渉部とを設けたことを特徴とするクレードル装置。
【請求項２】
前記クレードル本体の載置面には、前記第１の撮像装置及び前記第２の撮像装置を所定の位置に案内するガイド部を設けたことを特徴とする請求項１記載のクレードル装置。
【請求項３】
前記ガイド部の高さを前記コネクタの高さよりも高くしたことを特徴とする請求項２記載のクレードル装置。
【請求項４】
前記第１の撮像装置及び前記第２の撮像装置は、一方の側部に記録部が配置されると共に、他方の側部にカメラ部が配置されたビデオカメラであり、前記共通化された外形部分は、前記記録部が配置された側部であることを特徴とする請求項１記載のクレードル装置。
【発明の詳細な説明】
【技術分野】
【０００１】
本発明は、デジタルビデオカメラやデジタルスチルカメラ等の撮像装置が着脱可能に装着され、装着された撮像装置と周辺装置との間を電気的に接続したり、電源の供給等を行うクレードル装置に関し、特に、異なる撮像装置間において、装置本体の一部を共通化させた撮像装置の使用に用いて好適なクレードル装置に関するものである。
【背景技術】
【０００２】
従来の、撮像装置のためのクレードル装置としては、例えば、特許文献１に記載されているようなものがある。特許文献１には、デジタルカメラ載置用のクレードルに関するものが記載されている。この特許文献１に記載されたデジタルカメラ載置用クレードルは、「デジタルカメラ載置用のクレードルであって、前記クレードルは、デジタルカメラを載置するための載置部を備え、前記載置部は、デジタルカメラを載置した状態で該デジタルカメラの撮影画像を表示する表示部を斜め上向きとするように構成されている」ことを特徴としている。
【０００３】
このような構成を有する特許文献１に記載のデジタルカメラ載置用クレードルによれば、「クレードルに載置されたデジタルカメラの表示部が斜め上向きになるので自分撮りなどを行なう場合に表示部を見やすくすることができる（段落［００４４］を参照）」等の効果が期待される。
【０００４】
従来のこの種のクレードル装置の他の例としては、例えば、特許文献２に記載されているようなものもある。特許文献２には、電子機器と、この電子機器の外部機器への接続を介在するドッキングステーションとからなる電子機器システムに関するものが記載されている。この特許文献２に記載された電子機器システムは、「蓄電池とこの蓄電池に充電を行なう充電回路とが組み込まれた電子機器と、この電子機器が装着され、外部機器との接続を介在するとともに、電子機器への電源供給も行なうドッキングステーションとからなる電子機器システムにおいて、前記ドッキングステーションに状態表示用発光部を設け、この状態表示用発光部を点灯または点滅させることで、前記電子機器の各種状態を表示する」ことを特徴としている。
【０００５】
このような構成を有する特許文献２に記載の電子機器システムによれば、「ドッキングステーションに状態表示用発光部を設けたので、電子機器の状態を確認しやすくすることができる（段落［００４６］を参照）」等の効果が期待される。
【特許文献１】特開２００４−８０１８０号公報
【特許文献２】特開２００２−２３２７５０号公報
【０００６】
しかしながら、特許文献１に記載されたデジタルカメラ載置用クレードル及び特許文献２に記載された電子機器システムのいずれの場合においても、電子機器（デジタルカメラ）が装着されるクレードル装置（特許文献１ではクレードル、特許文献２ではドッキングステーション）は、その装着されるデジタルカメラの大きさや形状に合わせて外形と略同等の凹部を設け、その凹部にカメラ本体を装着する構成となっていた。そのため、クレードル装置は、特定された１のデジタルカメラの専用品となっており、デジタルカメラの種類毎にクレードル装置を用意する必要があった。その結果、デジタルカメラの種類と同じ数のクレードル装置が存在することから、メーカーにおいては保守、管理等が煩わしいものとなっており、一方、異なる機種のデジタルカメラを使用するユーザーにおいては、専用品以外のクレードル装置を誤って使用したり、まったく使用できない状態が生じる等の問題があった。
【発明の開示】
【発明が解決しようとする課題】
【０００７】
解決しようとする問題点は、従来のクレードル装置では、特定された撮像装置の専用品となっており、装着される電子機器の大きさや形状に合わせて外形と略同等の凹部を設け、その凹部に撮像装置等の電子機器を装着する構成となっていたため、メーカーにとっては保守や管理等が面倒なものとなっており、また、ユーザーにおいては誤って使用したり、まったく使用できない状態等が生じる、という点である。
【課題を解決するための手段】
【０００８】
本発明のクレードル装置は、第１の撮像装置と第２の撮像装置とが選択的に載置されるクレードル本体と、クレードル本体の載置面に設けられ、且つ、第１の撮像装置及び第２の撮像装置の各接続端子が選択的に接続されるコネクタと、を備え、クレードル本体には、第１の撮像装置及び第２の撮像装置の各装置本体のうち共通化された外形部分に対応した形状を有する位置決め部と、各装置本体の共通化された外形部分以外との干渉を避けるために切り欠いた非干渉部とを設けたことを最も主要な特徴とする。
【発明の効果】
【０００９】
本発明のクレードル装置によれば、機種の異なる撮像装置に対して共通に使用することができ、撮像装置の機種毎に専用のクレードル装置を用意する場合に比べて、メーカーにおいては保守、管理が容易になると共に、金型の種類等を削減してコストダウンを図ることができ、また、ユーザーにおいては他の機種のものを使用したり、まったく使用できない等の不具合をなくすことができる。
【発明を実施するための最良の形態】
【００１０】
第１の撮像装置及び第２の撮像装置の各装置本体の共通化された外形部分に対応した位置決め部と、各装置本体の共通化された外形部分以外との干渉を避けるために切り欠いた非干渉部とを設けることにより、機種の異なる撮像装置に対して共通して使用することができるクレードル装置を、簡単な構成によって実現した。
【００１１】
以下、本発明の実施の形態を、添付した図面を参照して説明する。図１〜図９は、本発明の実施の形態の例を説明するものである。即ち、図１は本発明のクレードル装置の斜視図、図２は同じく背面図、図３は本発明のクレードル装置に載置される第１の撮像装置を説明する説明図、図４は同じく第２の撮像装置を説明する説明図、図５は本発明のクレードル装置に第１の撮像装置を載置した状態の説明図、図６は同じく第２の撮像装置を載置した状態の説明図、図７は図５に示す状態を第１の撮像装置の左側面側から見た説明図、図８は図５に示す状態から第１の撮像装置の表示装置を開いた状態を示す説明図、図９は平面モニタを外側に向けて表示装置を閉じた状態を示す説明図である。
【００１２】
本発明の第１の実施の形態を示すクレードル装置１は、第１の撮像装置の一具体例を示す第１のデジタルビデオカメラ（以下「第１のＤＶカメラ」という。）３１と第２の撮像装置の一具体例を示す第２のデジタルビデオカメラ（以下「第２のＤＶカメラ」という。）６１を選択的に載置することができるものである。このクレードル装置１は、載置した各ＤＶカメラ３１，６１に電源からの電力を供給したり、各ＤＶカメラ３１，６１とパーソナルコンピュータ等の外部機器（周辺装置）とを電気的に接続するために介在することができるものである。
【００１３】
まず、第１のＤＶカメラ３１及び第２のＤＶカメラ６１について説明する。第１のＤＶカメラ３１及び第２のＤＶカメラ６１は、情報記録媒体としてテープ状記録媒体を用いた同一のデジタルビデオカセット（以下「ＤＶカセット」という。）を使用する点で共通するが、レンズの大きさやＣＣＤ（固体撮像素子）の性能等が若干異なっている。そのため、ＤＶカセットが着脱可能に装着されるメカデッキには同一のものが使用されており、そのメカデッキを覆う装置本体の一部分は同一形状とされているが、レンズ装置等を覆う装置本体の他の部分（反メカデッキ側の部分）は異なる形状とされている。
【００１４】
図３、図５及び図９等に示すように、第１のＤＶカメラ３１は、適当な厚みを有する長方形の筐体からなる装置本体３２と、この装置本体３２の正面に配置される対物レンズ３４を有するレンズ装置３３と、ファインダやタッチ操作パネルの機能をも兼ねる表示装置３５と、ＤＶカセットが着脱可能に装着される記録部の一具体例を示すメカデッキ等を備えて構成されている。
【００１５】
装置本体３２は、対物レンズ３４が露出された正面部３２ａと、正面から見て右側の側面を形成する右側面部３２ｂと、底面を形成する底面部３２ｃと、図に表れない左側面部及び背面部とから構成されている。カメラ部の一具体例を示すレンズ装置３３は、装置本体３２の上部に配設されており、その後方にビューファインダ３７が配置されている。レンズ装置３３には、対物レンズ３４を含む複数のレンズが配設されており、これら複数のレンズは、比較的大きな高性能のレンズとされている。そのため、このレンズ装置３３を覆う装置本体３２の一部分である胴体部３２Ａは、そのレンズ装置３３の形状に合わせて幅方向に盛り上がるように突出している。
【００１６】
この装置本体３２の正面部３２ａには、フラッシュ装置３８と内蔵マイクロホン３９が設けられている。フラッシュ装置３８は対物レンズ３４の左側に配置されていて、このフラッシュ装置３８の下部に内蔵マイクロホン３９が配置されている。図示しないが、装置本体の背面部には、電源バッテリーが着脱可能に装着されるバッテリー収納部が設けられている。
【００１７】
また、装置本体３２の右側面部３２ｂには、表示装置３５が姿勢変更可能に取り付けられている。図９に示すように、表示装置３５は、液晶ディスプレイ等の平板状の平面モニタ４１を有しており、支持部４３によって姿勢変更可能に支持されている。これにより、表示装置３５は、垂直軸を回動中心として水平方向に略９０度回動可能であると共に、水平軸を回動中心として前後方向に略２７０度回動可能とされている。また、装置本体３２の右側面部３２ｂには、バックライトボタン４５と、電源バッテリーの残量及び撮影可能時間等を平面モニタ４１に表示させるためのインフォメーションボタン４６と、メニューボタン４７が設けられている。
【００１８】
装置本体３２の内部には、正面から見て左側にメカデッキが配置されている。そして、このメカデッキを覆う正面部３２ａ、底面部３２ｃ、左側面部及び背面部により、第２のＤＶカメラ６１と共通化された外形部分である共通外形部Ｃが形成されている。図５等に示すように、装置本体３２の左側面部には、メカデッキを露出させるためのメカデッキ蓋４８が開閉可能に取り付けられており、このメカデッキ蓋４８に、ズームレバー４９と、シャッタボタン５０と、電源／モード切換ダイヤル５１と、図には表れない録画ボタン等が設けられている。
【００１９】
図３に示すように、装置本体３２の底面部３２ｄには、クレードル装置１の後述するコネクタ３に接続するための接続端子５２と、三脚用ねじ穴５３と、クレードル装置１や三脚等に第１のＤＶカメラ３１を装着する際に使用する２つのガイド穴５４ａ，５４ｂが設けられている。この第１のＤＶカメラ３１をクレードル装置１の所定位置に装着することにより、装置本体３２の接続端子５２はクレードル装置１のコネクタ３に接続され、２つのガイド穴５４ａ，５４ｂがクレードル装置１の後述する２つのガイド部１４ａ，１４ｂに嵌合される。
【００２０】
図４及び図６に示すように、第２のＤＶカメラ６１は、第１のＤＶカメラ３１と同様の構成とされていて、適当な厚みを有する長方形の筐体からなる装置本体６２と、この装置本体６２の正面に配置される対物レンズ６４を有するレンズ装置６３と、ファインダやタッチ操作パネルの機能をも兼ねる表示装置６５と、第１のＤＶカメラ３１にも使用されているものと同様の記録部の一具体例を示すメカデッキ等を備えて構成されている。
【００２１】
装置本体６２は、対物レンズ６４が露出された正面部６２ａと、正面から見て右側の側面を形成する右側面部６２ｂと、底面を形成する底面部６２ｃと、図に表れない左側面部及び背面部とから構成されている。この装置本体６２の内部には、正面から見て左側にメカデッキが配置されている。そして、このメカデッキを覆う正面部６２ａ、底面部６２ｃ、左側面部及び背面部により、第１のＤＶカメラ３１と共通化された外形部分である共通外形部Ｃが形成されている。
【００２２】
第２のＤＶカメラ６１が第１のＤＶカメラ３１と異なる部分は、対物レンズ６４を有するレンズ装置６３が収納される装置本体６２である。カメラ部の一具体例を示すレンズ装置６３は、装置本体６２の上部に配設されており、その後方にビューファインダ６７が配置されている。レンズ装置６３には、対物レンズ６４を含む複数のレンズが配設されている。これらのレンズは、第１のＤＶカメラ３１のレンズに比べて小さいものが使用されている。そのため、レンズ装置６４を覆う装置本体６２の一部である胴体部６２Ａは、第１のＤＶカメラ３１の装置本体３２の胴体部３２Ａよりも幅方向の長さ（メカデッキと反対側の側方に延在される長さ）が短くなっている。
【００２３】
この装置本体６２の正面部６２ａには、内蔵マイクロホン６９が設けられていて、背面部には、電源バッテリーが着脱自在に装着される図示しないバッテリー収納部が設けられている。また、装置本体３２の右側面部２ｂには、表示装置６５が姿勢変更可能に取り付けられている。装置本体３２の左側面部には、メカデッキを露出させるためのメカデッキ蓋７１が開閉可能に取り付けられており、このメカデッキ蓋７１に、ズームレバー７２と、シャッタボタン７３と、電源／モード切換ダイヤル７４と、図には表れない録画ボタン等が設けられている。
【００２４】
更に、装置本体３２の底面部３２ｄには、第１のＤＶカメラ３１と同様に、クレードル装置１のコネクタ３に接続するための接続端子７５と、三脚用ねじ穴７６と、クレードル装置１や三脚等に第２のＤＶカメラ６１を装着する際に使用する２つのガイド穴７７ａ，７７ｂが設けられている。
【００２５】
図１に示すように、クレードル装置１は、第１のＤＶカメラ３１と第２のＤＶカメラ６１の各装置本体３２，６２が選択的に載置されるクレードル本体２と、載置された第１のＤＶカメラ３１及び第２のＤＶカメラ６１と電気的に接続するためのコネクタ３と、クレードル本体２に載置される第１のＤＶカメラ３１及び第２のＤＶカメラ６１の位置決めを行うための位置決め部５と、第１のＤＶカメラ３１の胴体部３２Ａ及び第２のＤＶカメラ６１の胴体部６２Ａとの干渉を避けるための非干渉部６等を備えて構成されている。
【００２６】
クレードル本体２は、略長方形で扁平とされた筐体からなり、図２に示すように、長辺の一側面には、周辺装置（外部機器）と電気的に接続するための接続部８を有している。この接続部８には、パーソナルコンピュータ等に接続するためのＵＳＢ（Ｕｎｉｖｅｒｓａｌ  Ｓｅｒｉａｌ  Ｂｕｓ）コネクタ９と、ＩＥＥＥ１３９４規格に準拠した出力端子でありパーソナルコンピュータ等に接続するためのＤＶ（Ｄｉｇｉｔａｌ Ｖｉｄｅｏ）端子１０と、電源入力端子１１と、モニタやビデオデッキ等と接続するためのビデオ端子１２が設けられている。
【００２７】
また、載置面であるクレードル本体２の上面には、コネクタ３と、２つのガイド部１４ａ，１４ｂが設けられている。コネクタ３は、クレードル本体２の上面の略中央部に配置されていて、クレードル本体２の内部で接続部８に設けた各端子９〜１２と電気的に接続されている。このコネクタ３には、第１のＤＶカメラ３１の接続端子５２及び第２のＤＶカメラ６１の接続端子７５が選択的に接続される。
【００２８】
２つのガイド部１４ａ，１４ｂは、丸棒状の凸部からなっており、第１のガイド部１４ａが長手方向の一側に配置され、第２のガイド部１４ｂが幅方向の一側に配置されている。これら２つのガイド部１４ａ，１４ｂは、第１のＤＶカメラ３１の２つのガイド穴５４ａ，５４ｂ及び第２のＤＶカメラ６１の２つのガイド穴７７ａ，７７ｂにそれぞれ嵌合される。
【００２９】
２つのガイド部１４ａ，１４ｂの高さは、コネクタ３の高さよりも高く設定されている。そのため、各ガイド部１４ａ，１４ｂは、コネクタ３と接続端子５２（接続端子７５）との接続よりも先に第１のＤＶカメラ３１（（第２のＤＶカメラ６１）の各ガイド穴５４ａ，５４ｂ（ガイド穴７７ａ，７７ｂ）に嵌合されるようになっている。これにより、コネクタ３と接続端子５２（接続端子７５）とを容易に対向させることができ、コネクタ３を第１のＤＶカメラ３１の底面部３２ｃに干渉させて破損してしまうことを防止することができる。
【００３０】
また、クレードル本体２には、短辺の両側面と接続部８が設けられた側面とにかけて連続する提状の位置決め部５が設けられている。この位置決め部５は、第１のＤＶカメラ３１及び第２のＤＶカメラ６１の共通化された外形部分である共通外形部Ｃに対応するように湾曲して形成されている。この位置決め部５の一端には、他の部分よりも一段高くした立上げ部５ａが設けられている。この立上げ部５ａには、ＤＶカメラ３１（第２にＤＶカメラ６１）の背面部に対応するように切欠き１６が設けられている。この切欠き１６は、第１のＤＶカメラ３１（第２のＤＶカメラ６１）のバッテリー収納部に対応した形状に形成されている。これにより、クレードル装置１に第１のＤＶカメラ３１（又は第２のＤＶカメラ３２）を装着した状態において、電源バッテリーの装着及びその取り外しを行うことができるようになっている。
【００３１】
クレードル本体２の位置決め部５と反対側の長辺部分には、水平方向に開放された非干渉部６が設けられている。この非干渉部６は、クレードル本体２の載置面と同じ高さであって、長手方向の略全長に渡って連続された切欠きとして形成されている。この非干渉部６には、第１のＤＶカメラ３１及び第２のＤＶカメラ６１の共通外形部Ｃと反対側である胴体部３２Ａ又は胴体部６２Ａが嵌合される。
【００３２】
このような構成を有するクレードル装置１によれば、例えば、次のようにして第１のＤＶカメラ３１及び第２のＤＶカメラ６１を選択的に装着することができる。第１のＤＶカメラ３１及び第２のＤＶカメラ６１のクレードル装置１への装着は、同様にして行われるため、第１のＤＶカメラ３１を例にとって説明する。
【００３３】
まず、クレードル装置１の上面に第１のＤＶカメラ３１の底面部３２ｂを対向させ、クレードル装置１に第１のＤＶカメラ３１を接近させる。このとき、クレードル装置１の位置決め部５に第１のＤＶカメラ３１の共通外形部Ｃを臨ませると共に、２つのガイド部１４ａ，１４ｂに第１のＤＶカメラ３１の２つのガイド穴５４ａ，５４ｂを位置合わせする。
【００３４】
この状態から、第１のＤＶカメラ３１をクレードル装置１に嵌め合わせ、その上面に第１のＤＶカメラ３１の底面部３２ｂを接触させる。これにより、クレードル装置１のコネクタ３に第１のＤＶカメラ３１の接続端子５２が接続される。この際、コネクタ３と接続端子５２との接続よりも先に、クレードル装置１の２つのガイド部１４ａ，１４ｂに第１のＤＶカメラ３１の２つのガイド穴５４ａ，５４ｂが挿入され、これにガイドされて嵌合が行われるため、コネクタ３に接続端子５２を正確に対向させることができる。これにより、コネクタ３に接続端子５２を確実に接続させることができると共に、コネクタ３と接続端子５２との位置がずれて干渉することがなく、これらコネクタ３及び接続端子５２の破損を防止することができる。これにより、クレードル装置１に対する第１のＤＶカメラ３１の装着が完了する。
【００３５】
クレードル装置１に第１のＤＶカメラ３１が装着された状態において、クレードル装置１の位置決め部５に第１のＤＶカメラ３１の共通外形部Ｃが係合されるため、クレードル装置１は、第１のＤＶカメラ３１をしっかりと保持することができる。そして、図７に示すように、クレードル装置１の接続部８に設けた各端子９〜１２に各種ケーブルを接続することで、第１のＤＶカメラ３１の電源バッテリーの充電や、パーソナルコンピュータ等の外部機器（周辺装置）と第１のＤＶカメラ３１との電気的な接続を確実に行うことができる。
【００３６】
また、図８及び図９に示すように、クレードル装置１に装着された第１のＤＶカメラ３１の表示装置３５は、クレードル装置１の非干渉部６に位置するため、装着された状態のままで開閉動作を行うことができる。
【００３７】
第２のＤＶカメラ６１をクレードル装置１に装着する場合も、その動作手順は同一である。この場合、第１のＤＶカメラ３１と第２のＤＶカメラ６１とでは、それぞれの装置本体３２，６２の形状、特に胴体部３２Ａ，６２Ａの形状が異なるため、従来のクレードル装置では、異なる形状を有する２つのＤＶカメラ３１，６１を１台のクレードル装置に装着することができなかった。しかしながら、本実施例によれば、共通外形部Ｃを設ける一方、非干渉部６を設けて胴体部３２Ａ，６２Ａの厚みの違いを吸収できるようにしたため、異なる外形形状を有する２種類（３種類以上であってもよい）のＤＶカメラ３１，６１であっても、それらを個別に収容することができ、１台で２台分の働きを行うことができる。
【００３８】
本実施例では、第１の撮像装置及び第２の撮像装置として、情報記録媒体にＤＶカセットを使用するデジタルビデオカメラを適用して説明したが、本発明に係る第１の撮像装置及び第２の撮像装置としては、これに限定されるものではなく、例えば、情報記録媒体にＤＶＤ（Ｄｉｇｉｔａｌ  Ｖｅｒｓａｔａｉｌｅ  Ｄｉｓｃ）や半導体記録媒体等を使用した撮像装置を適用することもできるものである。これら場合においても、ＤＶカセットを使用するデジタルビデオカメラと同様に、第１の撮像装置と第２の撮像装置の各記録部は略同等なものであり、その記録部を覆う装置本体の一部が共通化された外形部分となる。
【００３９】
以上説明したように、本発明の撮像装置用クレードル装置によれば、第１の撮像装置と第２の撮像装置の各装置本体の共通化された外形部分に対応するように位置決め部を設けると共に、装置本体の共通化された外形部分以外の箇所との干渉を避けるために非干渉部を設けたため、外形の異なる撮像装置を選択的に載置することができると共に、位置決め部により共通化された外形部分を囲うことで外形の異なる撮像装置をしっかりと保持することができる。
【００４０】
更に、第１の撮像装置及び第２の撮像装置を所定の位置に案内するガイド部を設け、そのガイド部の高さをコネクタよりも高くしたため、コネクタが撮像装置に接続さされる前に、ガイド部によって第１の撮像装置及び第２の撮像装置を所定の位置に案内することができる。その結果、コネクタを容易に接続することができると共に、コネクタを撮像装置の他の部分と干渉させる心配がなく、コネクタの破損を防止することができる。
【００４１】
本発明は、前述しかつ図面に示した実施の形態に限定されるものではなく、その要旨を逸脱しない範囲内で種々の変形実施が可能である。例えば、前記実施例においては、撮像装置としてデジタルビデオカメラを適用した例について説明したが、デジタルスチルカメラ、ディスク式撮像装置、ハードディスク一体型撮像装置その他各種の撮像装置に適用できるものである。
【図面の簡単な説明】
【００４２】
【図１】本発明のクレードル装置の一実施例を示す外観斜視図である。
【図２】図１に示すクレードル装置の背面図である。
【図３】図１に示すクレードル装置に第１の撮像装置を装着する状態を説明するための説明図である。
【図４】図１に示すクレードル装置に第２の撮像装置を装着する状態を説明するための説明図である。
【図５】図１に示すクレードル装置に第１の撮像装置を装着した状態を表す説明図である。
【図６】図１に示すクレードル装置に第２の撮像装置を装着した状態を表す説明図である。
【図７】図１に示すクレードル装置に第１の撮像装置を装着した状態を背面から見た説明図である。
【図８】図５に示す状態から第１の撮像装置の表示装置を水平方向に９０度開いた状態を表す説明図ある。
【図９】図８に示す状態から第１の撮像装置の表示装置を１８０度回転させた後、平面モニタを外側に向けて所定位置に収納した状態を表す説明図である。
【符号の説明】
【００４３】
１…クレードル装置、  ２…クレードル本体、  ３…コネクタ、  ５…位置決め部、  ６…非干渉部、  ８…接続部、  ９…ＵＢＳコネクタ、  １０…ＤＶ端子、  １１…電源入力端子、  １２…ビデオ端子、  １４ａ，１４ｂ…ガイド部、  ３１…第１のＤＶカメラ（第１の撮像装置）、  ３２，６２…装置本体、  ３２Ａ，６２Ａ…胴体部（カメラ部）、  ５２，７５…接続端子、  ５４ａ，５４ｂ，７７ａ，７７ｂ…ガイド穴、  ６１…第２のＤＶカメラ（第２の撮像装置）、  Ｃ…共通外形部
【図１】
2007174585.tif 000003
【図２】
2007174585.tif 000004
【図３】
2007174585.tif 000005
【図４】
2007174585.tif 000006
【図５】
2007174585.tif 000007
【図６】
2007174585.tif 000008
【図７】
2007174585.tif 000009
【図８】
2007174585.tif 000010
【図９】
2007174585.tif 000011